(57)【要約】      （修正有）【課題】使用者が光ビームを限定的なエリアに向けることによって物体を探すことができると共に、光を分散させて、通常の行動を良好に行える環境を作り出すことができる照明装置を提供する。【解決手段】ブラケット１０１に装着された発光素子（発光体１１５）、ヒンジ１０４によってこのブラケットに接続され、第１位置と第２位置との間で移動できるハウジング１０３、このハウジングの両端のうちの一端に位置する孔１０７を有する収束レフレクター１０５を有し、上記第１位置において、上記収束レフレクターが、上記発光素子から光が上記孔を介して射出するように上記発光素子に整合し、かつ上記第２位置において、上記発光素子からの光が上記ハウジングの側壁から射出するように上記収束レフレクターが移動する集中照明および分散照明が可能な照明装置１００である。【選択図】図１
0003209512.tif 000002
【実用新案登録請求の範囲】
【請求項１】
ブラケットに装着された発光素子、
ヒンジによってこのブラケットに接続され、第１位置と第２位置との間で移動できるハウジング、および
このハウジングの両端のうちの一端に位置する、孔を有する収束レフレクターを有し、  前記第１位置において、前記収束レフレクターが、前記発光素子から光が前記孔を介して射出するように前記発光素子に整合し、かつ前記第２位置において、前記発光素子からの光が前記ハウジングの側壁を介して射出するように前記収束レフレクターが移動する、集中照明および分散照明が可能であることを特徴とする照明装置。
【請求項２】
前記ハウジングの側壁は半透明で、発光素子から発した光を分散できる請求項１に記載の照明装置。
【請求項３】
前記収束レフレクターの形状が内面をもつ円錐形状で、この内面が反射面になり、横に散乱する、前記発光素子からの光がこの反射面によって反射し、集中光ビームになる請求項１に記載の照明装置。
【考案の詳細な説明】
【技術分野】
【０００１】
本考案は、集中モード（ｆｏｃｕｓｅｄ ｍｏｄｅ）から分散モード（ｄｉｓｐｅｒｓｅｄ ｍｏｄｅ）へ切り替えが可能な光源の分野に関する。
【背景技術】
【０００２】
現在普及している多くの光源は、光路を焦点に収束させることによって物体を照明することが可能である。これは、例えば光源の使用者が大きなエリアをサーチする場合などのように、使用者がスポットライトを使用してある方向を限定的に照明する場合に有効である。ところが、使用者がスポットライトを必要とせず、分散光の形態を必要とする場合、例えば会話をもちたい相手を探すなどの通常の行動のために部屋または特定のエリアを明るく照明する必要がある場合、集中光ビームはほとんど役に立たない。実際、強力な集中スポットライトは、暗く、長い影を発生しがちであり、眼による周囲の観察を難しくするスポットライトとは対照的である。戸外では、このようなスポットライトは、直ぐに眩しくなり、スポットライトを遮る物体が投げかける陰に隠れている物体につまずくなどの事故の原因になる恐れがある。
【０００３】
即ち、使用者が光ビームを限定的なエリアに向けることによって物体を探すことができるにも拘らず、光を分散させて、通常の行動を良好に行える環境を作り出すことができるタイプのスポットライトを提供することが望まれている。
【考案の概要】
【０００４】
本考案の第１態様は、ブラケットに装着された発光素子、ヒンジによってこのブラケットに接続され、第１位置と第２位置との間で移動できるハウジング、このハウジングの一端に位置する孔を有する収束レフレクター（ｃｏｎｖｅｒｇｅｎｔ ｒｅｆｌｅｃｔｏr）を有し、上記第１位置において、上記収束レフレクターが、上記発光素子から光が上記孔を介して射出するように上記発光素子に整合し、かつ上記第２位置において、上記発光素子からの光が上記ハウジングの側壁を介しあるいは該側壁から射出するように上記収束レフレクターが移動する集中照明（ｆｏｃｕｓｅｄ ｌｉｇｈｔｉｎｇ）および分散照明（ｄｉｓｐｅｒｓｅｄ ｌｉｇｈｔｉｎｇ）が可能な照明装置に関する。
【０００５】
即ち、本考案の照明装置によれば、スポットライトを遠くにある焦点に投射することができる。また、照明装置のハウジングの位置を変更することによって、照明装置は穏やかな分散光または散乱光を近接距離に投射できる。このため、日常生活における各種の異なる環境に簡単に適応することが可能になる。
【０００６】
ハウジングの側壁については、透光性を有するものとするか、半透明化（ｔｒａｎｓｌｕｃｅｎｔ）し、発光素子から発した光を分散できるのが好ましい。
【０００７】
また、収束レフレクターの形状については、内面をもつ円錐形状が好ましく、この内面が反射面になり、横に散乱する、発光素子からの光がこの反射面によって反射し、集中光ビームになるように構成するのが好ましい。
【０００８】
以下、本考案の考えられる構成を示す添付図面を参照して本考案を詳しく説明する。なお、図面中同符号は同じ部材を示す。また、本考案については、他の構成も可能であるため、添付図面に具体的に示した構成は、本考案の全体的な原理を超えるものではない。
【図面の簡単な説明】
【０００９】
【図１】本考案の実施態様を示す図である。
【図２】図１に示した実施態様の第１構成を示す図である。
【図３】図１に示した実施態様の第２構成を示す図である。
【００１０】
図１に、照明装置１００を示す。この照明装置１００はブラケット１０１を有し、ヒンジ１０４によってこのブラケット１０１をハウジング１０３に接続する。
【００１１】
側面から見て、ハウジング１０３は矩形であり、半透明な又は透光性を有する長さ方向側部１０２を有する。矩形ハウジング１０３の一端にレフレクター１０５を取り付ける。このレフレクター１０５は実質的に放物線形、あるいは円錐形である。即ち、円錐形レフレクター１０５は円形開口を備え、この開口から先端に向かって収束延在する連続側壁を有する。円錐形レフレクター１０５の先端に孔１０７を設ける。レフレクター１０５の開口はレンズ１０９で覆う。円錐形レフレクター１０５を構成する円錐体の内面は、反射面である。場合に応じて、円錐形レフレクター１０５を構成する円錐体の外面も反射面とすることができる。
【００１２】
ブラケット１０１はスタンド１１１、およびこのスタンド１１１に９０°の角度で接続したプラットフォーム１１３を有する。従って、ブラケット１０１は逆Ｌ字形を取る。プラットフォーム１１３には、電球またはＬＥＤ（発光ダイオード）などの発光体１１５を取り付ける。ブラケット１０１のスタンド１１１内に回線を設け、発光体１１５に電力を供給する。
【００１３】
図１に湾曲矢印で示すハウジング１０３は、ヒンジ１０４を中心にした回動することによって、２つの位置の間で旋回する。
【００１４】
図２に示すように、第１位置において、ハウジング１０３は、円錐形レフレクター１０５の孔１０７が発光体１１５に整合するように位置する。発光体１１５から発光した光は孔１０７から射出する。多くの発光体１１５の場合、あらゆる方向に発光する。本考案の場合、発光体１１５から射出した光は直進する代わりに、発光体１１５から横方向に進み、円錐形レフレクター１０５の反射内面に衝突し、ここで反射して、円錐形レフレクター１０５の軸線に向かって収束する。発光体１１５から前方に既に進んでいる光が、次に、内面レフレクターによって反射した収束ビームに合流する。次に、円錐形レフレクター１０５の開口にあるレンズ１０９が、レンズ１０９を通過するビームを（図示を省略した）焦点として集められ、集中光のビームを発生する。
【００１５】
図３に示すように、第２位置に旋回すると、円錐形レフレクター１０５は発光体１１５から離間する。今度は、円錐形レフレクター１０５の代わりに、ハウジング１０３の側壁が光透過路に旋回移動する。光透過路に移動した側壁は半透明ないし透光性を有するものであり、光を拡散し、これを多数の方向に散乱することができる。このため、照明装置１００からは拡散光が発光する。この拡散光は部屋などのスペースを穏やかに照明するため、物体の影を光路に投げかけることはない。
【００１６】
即ち、本考案によれば、スポットライトを遠い焦点に投射できる照明装置を提供できる。照明装置のハウジングの位置を変えることによって、穏やかな分散光または散乱光を近接距離に投射できる。
【００１７】
矩形のハウジングについて説明してきたが、照明装置のハウジングが、第１位置において発光体１１５のビームを収束できるようにそれ自体を整合調節でき、また第２位置において、ハウジング壁を発光体１１５のビームの光路内に移動して、ビームを多数の方向に散乱させることができる限り、異なる実施態様においては異なる形状のハウジングも使用できる。
【００１８】
このように、上記実施態様によれば、日常生活において各種の異なる環境に簡単に適応できる照明装置１００を提供できる。
【００１９】
以上、本考案の好適な実施態様を説明してきたが、当業者ならば、本願の請求の範囲から逸脱しなくても、設計、構成または動作の細部に多数の変更などを加えることができることを理解できるはずである。
【符号の説明】
【００２０】
１００：照明装置
１０１：ブラケット
１０２：長さ方向側部
１０３：ハウジング
１０４：ヒンジ
１０５：レフレクター
１０７：孔
１０９：レンズ
１１１：スタンド
１１３：プラットフォーム
１１５：発光体
【図１】
0003209512.tif 000003
【図２】
0003209512.tif 000004
【図３】
0003209512.tif 000005